(57)【要約】【課題】  企業または団体内のいずれのファクシミリ装置からでも暗証番号（着番号）を知っている人間がアクセスできるファクシミリ装置を提供することを目的とする。【解決手段】  記憶部１０に記憶している受信した発呼元企業名（氏名）と着番号の組み合わせを記憶部１１内に登録されている企業名（氏名）と着番号の組み合わせのうちのいずれかと一致するか否かを確認する。一致した時は、即座に交換機へ受信完了信号を送信することで、回線を開放する。【選択図】  図１
2005184553.tif 000002
【特許請求の範囲】
【請求項１】
着呼時に受信した発信元企業名（氏名）と着呼時に受信した着番号及び着信を許可する発信元企業名（氏名）と着番号の組み合わせ情報を登録する登録手段と、回線を自動的に閉結する手段を有するファクシミリ装置であって、
前記着呼時に受信した発信元企業名（氏名）及び着番号を一時的に記憶する記憶手段と、
該記憶手段に記憶されている前記着呼時に受信した発信元企業名（氏名）及び着番号と前記登録手段によって登録されている前記着信を許可する企業名（氏名）と着番号の組み合わせ情報を比較する比較手段を有し、
前記比較手段によって、前記着呼時に受信した発信元企業名（氏名）と着番号の組み合わせと前記着信を許可する発信元企業名（氏名）及び着番号の組み合わせが一致した場合に、交換機へ受信完了信号を送信する送信手段を有することを特徴とするファクシミリ装置。
【請求項２】
前記登録手段は、前記着信を許可する発信元企業名（氏名）と着番号の組み合わせ情報を一組のみ登録できることを特徴とする請求項１記載のファクシミリ装置。
【請求項３】
前記登録手段は、前記着信を許可する発信元企業名（氏名）と着番号の組み合わせ情報を複数登録できることを特徴とする請求項１記載のファクシミリ装置。
【請求項４】
前記比較手段は、該比較手段の有効または無効化を設定することができる設定手段を有することを特徴とする請求項１記載のファクシミリ装置。
【請求項５】
前記設定手段は、前記比較手段が有効または無効化を確認することができる確認手段を有することを特徴とする請求項４記載のファクシミリ装置。
【発明の詳細な説明】
【技術分野】
【０００１】
本発明はファクシミリ装置に関し、特に、特定の相手のみから受信することができるファクシミリ装置に関する。
【背景技術】
【０００２】
文字や図形などの画像データとして送受信するための装置としてファクシミリ装置が広く普及している。このファクシミリ装置は、ＣＣＩＴＴ勧告により通信上の各種プロトコルが規定されており、勧告Ｔ．３０において送信端末識別信号（以下、ＴＳＩ信号という）に送信者のファックス番号を含めることができるようになっている。従来のファクシミリ装置では、このＴＳＩ信号からファックス番号を読み取ることで各種の便利な機能を付加するようにしているものがある。
【０００３】
例えば、通信が行われた場合に、交信日時、交信枚数、送受信の区別、交信結果（正常終了、エラーの発生等）といった交信情報をＴＳＩ信号から読み取ったファックス番号と共に保存し、ファクシミリ交信履歴として後日出力可能（記録紙の出力、表示部への画像表示出力）にした通信管理機能がある。
【０００４】
この通信管理機能によりファクシミリ交信履歴を保存、出力することで、特定のファックス番号の相手から所望の書類を受信済みであるか確認したり、ファックス装置の可動状態を管理したりすることが可能になる。
【０００５】
また、読み取ったファックス番号を利用した他の機能として、送信元ののファックス番号を予め登録しておき、ＴＳＩ信号から読み取ったファックス番号と比較して、受信するか否かを決定する迷惑ファックス防止機能がある。
【０００６】
すなわち、ファックス番号が受信を認めない送信元として登録されている場合には、その登録ファックス番号とＴＳＩ信号から読み取ったファックス番号とが一致していれば通信を遮断し、それ以外のファックス番号とは接続する。逆に、ファックス番号が受信を認める送信元として登録されている場合には、登録ファックス番号とＴＳＩ信号から読み取ったファックス番号とが一致している場合のみ受信し、それ以外のファックス番号に対しては遮断する。このような迷惑ファックス防止機能を利用することで、見知らぬ第三者から一方的に送信されてくる不必要な情報の受信や、悪戯送信による受信を防止して記録紙の浪費を防ぐと共に、不必要な通信によってファクシミリ装置が占有され、使用したときに使用できなくなるという不便を回避することができる。
【０００７】
また、着信した相手を簡単に識別することができるファクシミリ装置や（特許文献１参照）、発信者番号非通知のファクシミリ発信元からファクシミリ送信がある場合、発信者番号通知でファクシミリ発信元からファクシミリ送信がある場合、発信者番号通知でファクシミリ送信をするよう促す内容を通知することにより、発信者番号非通知の設定になっていることを自覚させながら発信者番号通知で送信を促すことができるファクシミリ装置がある（特許文献２参照）。
【特許文献１】特開２００２―２２３２８６号公報
【特許文献２】特開２００２―２４７２３６号公報
【発明の開示】
【発明が解決しようとする課題】
【０００８】
従来使用されていた手段として、着番号や発呼元電話番号を利用する方法があるが、これらの方法では、以下のような不都合が生じる。
着番号を使用した場合（着番号を持って着信を許可する場合）では、着番号を知ることで、誰でもアクセスができてしまう。また、団体ごとの取りまとめた管理ができない。さらに、発呼元電話番号を使用した場合（発呼元電話番号を持って着信を許可する場合）は、電話機またはファクシミリ装置にアクセスできるファクシミリ装置が固定されてしまうといった問題がある。
【０００９】
本発明は係る問題に鑑みてなされたものであり、企業または団体内のいずれのファクシミリ装置からでも暗証番号（着番号）を知っている人間がアクセスできるファクシミリ装置を提供することを目的とする。
【課題を解決するための手段】
【００１０】
上記目的を達成するために、請求項１記載のファクシミリ装置は、着呼時に受信した発信元企業名（氏名）と着呼時に受信した着番号及び着信を許可する発信元企業名（氏名）と着番号の組み合わせ情報を登録する登録手段と、回線を自動的に閉結する手段を有するファクシミリ装置であって、着呼時に受信した発信元企業名（氏名）及び着番号を一時的に記憶する記憶手段と、該記憶手段に記憶されている着呼時に受信した発信元企業名（氏名）及び着番号と登録手段によって登録されている着信を許可する企業名（氏名）と着番号の組み合わせ情報を比較する比較手段を有し、比較手段によって、着呼時に受信した発信元企業名（氏名）と着番号の組み合わせと着信を許可する発信元企業名（氏名）及び着番号の組み合わせが一致した場合に、交換機へ受信完了信号を送信する送信手段を有することを特徴とする。
【００１１】
請求項２記載の発明は、請求項１記載のファクシミリ装置であって、登録手段は、着信を許可する発信元企業名（氏名）と着番号の組み合わせ情報を一組のみ登録できることを特徴とする。
【００１２】
請求項３記載の発明は、請求項１記載のファクシミリ装置であって、登録手段は、着信を許可する発信元企業名（氏名）と着番号の組み合わせ情報を複数登録できることを特徴とする。
【００１３】
請求項４記載の発明は、請求項１記載のファクシミリ装置であって、比較手段は、該比較手段の有効または無効化を設定することができる設定手段を有することを特徴とする。
【００１４】
請求項５記載の発明は、請求項４記載のファクシミリ装置であって、設定手段は、比較手段が有効または無効化を確認することができる確認手段を有することを特徴とする。
【発明の効果】
【００１５】
以上の説明から本発明によれば、相手先（取引先：企業または団体等）の中のダイヤルイン番号（着番号）を知っている人間に限定することにより、ファクシミリ装置にアクセスを許可する人間にだけ暗証番号的に着番号を知らせることで、一定範囲内の人間からのみ受信することができる。
【発明を実施するための最良の形態】
【００１６】
次に添付図面を参照して、本発明の実施形態を説明する。
図１は、本発明に係るファクシミリ装置の構成を示したブロック図である。
本発明のファクシミリ装置は、スキャナ１、プロッタ２、符号化復号化３、網制御装置４、モデム５、操作表示部６、システム制御部７、システムバス８、電話機９、受信した発呼元企業名（氏名）、着番号の一時記憶１０、受信を許可する発呼元企業名（氏名）と着番号の登録部１１から構成されている。
【００１７】
スキャナ１は、原稿画像を読み取り出すものである。プロッタ２は、画像を記録紙に記録するものである。符号化復号化３は、ＭＨ方式などの既知の符号化方式により、送信する画情報を符号化によりデータ圧縮を行う一方、受信した画情報を復号化して元の画情報を再生するものである。網制御装置４は、電話回線と電話機９が接続されている。そして発着信を行うための回線制御を行う。
【００１８】
モデム５は、画情報を変復調して伝送すると共に、伝送制御のための各種手順信号を伝送するものである。操作表示部６は、装置の動作状態を表示する一方、オペレータが各種操作を行うものである。システム制御部７は、上記各部を制御するマイクロコンピュータである。システムバス８は、上記各部が相互間で各種制御信号やデータをやり取りする信号ラインである。記憶部１０は、着呼時に受信した発呼元企業名（氏名）と着番号を一時的に記憶する部分である。記憶部１１は、当該ファクシミリ装置の管理者が予め登録した受信を許可する発信元企業名（氏名）と着番号の組み合わせ情報を記憶しておく部分である。
【００１９】
次に、図２〜３を参照して本発明のファクシミリ装置の処理動作について説明する。
まず、電話機またはファクシミリ装置は、受信待機中に回線から送られてくる情報受信端末起動信号を監視する（ステップＳ１００）。情報受信端末起動信号を受信しない場合は（ステップＳ１００／ＮＯ）は、監視状態の戻る。
【００２０】
情報受信端末起動信号を受信した時（ステップＳ１００／ＹＥＳ）、回線を閉結し（ステップＳ１０２）、通信前情報（Ｖ．２３モデム信号）を受信し、同信号から発呼元企業名（氏名）及び着番号を取り出し、記憶部１０に記憶する（ステップＳ１０３）。
【００２１】
次に、着呼時に受信した発信元企業名（氏名）及び着番号を予め電話機またはファクシミリ装置に登録してある着信を許可する企業名（氏名）と着番号の組み合わせ情報と比較する機能が有効か否かを判断する（ステップＳ１０４）。無効であった場合（ステップＳ１０４／ＮＯ）、回線を開放後（ステップＳ１０５）、交換機から送られる１６Ｈｚ呼び出し信号を受信することで回線を閉結し、通信が行われ（ステップＳ１０６）、通信終了とともに呼を開放する（ステップＳ１０７）。
【００２２】
記憶部１０に記憶している受信した発呼元企業名（氏名）と着番号の組み合わせを記憶部１１に登録されている企業名（氏名）と着番号の組み合わせのうちのいずれかと一致するか否かを確認する（ステップＳ１０８）。
【００２３】
次に、登録されている企業名（氏名）と着番号の組み合わせのうちいずれかと一致するかを判断する（ステップＳ１０８）。ここでは、ステップＳ１０８における確認処理において、記憶部１０に記憶している受信した発呼元企業名（氏名）と着番号の組み合わせを記憶部１１に登録されている企業名（氏名）と着番号の組み合わせ群とが一致するかを判断する。
【００２４】
記憶部１０に記憶している受信した発呼元企業名（氏名）と着番号の組み合わせと記憶部１１に登録されている企業名（氏名）と着番号の組み合わせ群が一致しない場合（ステップＳ１０８／ＮＯ）は、１０秒間待機後に回線を開放し、議会の発呼及び着呼処理を受け付ける状態へ復帰する（ステップＳ１１３）。
【００２５】
記憶部１０に記憶している受信した発呼元企業名（氏名）と着番号の組み合わせと記憶部１１に登録されている企業名（氏名）と着番号の組み合わせ群が一致する場合（ステップＳ１０８／ＹＥＳ）は、回線を開放し（交換機へ内線番号受信完了信号を送出）（ステップＳ１１０）、電話機またはファクシミリ装置が、その後交換機から送られてくる１６Ｈｚ呼び出し信号を検出することで、回線を閉結し、相手機と交信を行う（ステップＳ１１１）。
【図面の簡単な説明】
【００２６】
【図１】本発明の実施形態におけるファクシミリ装置の構成を示したブロック図である。
【図２】本発明の実施形態におけるファクシミリ装置の処理動作を示したフローチャートである。
【図３】本発明の実施形態におけるファクシミリ装置の処理動作を示したフローチャートである。
【符号の説明】
【００２７】
１    スキャナ
２    プロッタ
３    符号化復号化
４    網制御装置
５    モデム
６    操作表示部
７    システム制御部
８    システムバス
９    電話機
１０、１１    記憶部
【図１】
2005184553.tif 000003
【図２】
2005184553.tif 000004
【図３】
2005184553.tif 000005